(57)【要約】　　　（修正有）【課題】目玉が縫いぐるみ自体から脱落する恐れが無く、しかも目玉の取付け状態がリアルで、縫いぐるみ自体の形状及び顔の表情等が極めて自然な状態に製作できる、縫いぐるみのための目玉の取付け構造を提供する。【解決手段】目玉２０に固定脚が一体的に設けられており、該固定脚の脚部２１は複数のリング状段部２２を有しており、目玉取付け位置の布を表裏から挾圧固定するための固定筒３０及びワッシャ４０とを有しており、縫いぐるみの縫製前に該固定筒とワッシャを目玉取付け位置に固定し、縫いぐるみ縫製後に該目玉の固定脚端に通した糸２５を縫いぐるみの後頭部に貫通すること、及び、該目玉の固定脚を該固定筒に挿通することによって、目玉を二重に固定することを特徴とする縫いぐるみの目玉取付構造。【選択図】　　　図４
0003098350.tif 000002
【実用新案登録請求の範囲】
【請求項１】
縫いぐるみの目玉取付構造であって、目玉に固定脚が一体的に設けられており、該固定脚の脚部は複数のリング状段部を有しており、目玉取付け位置の布を表裏から挾圧固定するための固定筒及びワッシャとを有しており、縫いぐるみの縫製前に該固定筒とワッシャを目玉取付け位置に固定し、縫いぐるみ縫製後に該目玉の固定脚端に通した糸を縫いぐるみの後頭部に貫通すること、及び、該目玉の固定脚を該固定筒に挿通することによって、目玉を二重に固定することを特徴とする縫いぐるみの目玉取付構造。
【請求項２】
上記固定筒及びワッシャは、固定筒の複数のリング状段部とワッシャの係合孔における緊縮部とによって係合されることを特徴とする請求項１記載の縫いぐるみの目玉取付構造。
【請求項３】
上記ワッシャの係合孔はテーパー孔である請求項２記載の縫いぐるみの目玉取付構造。
【考案の詳細な説明】
【０００１】
【考案の属する技術分野】
この考案は、動物の縫いぐるみや人形等（以下、縫いぐるみと呼ぶ。）の目玉の取付構造に関する。
【０００２】
【従来の技術】
従来から縫いぐるみに用いる目玉の構造は種々知られている。そして、一般的な目玉の構造は、縫いぐるみの表皮適所の表面側から目玉の固定部材である脚部を貫通し、該表皮の裏面側に配置したワッシャ等の固定具と上記固定部材である脚部とを係合させて固定するものが知られている。
【０００３】
図３及び図６、図７は、このような従来一般的な縫いぐるみ１０のための目玉２０の取付け状態を示している。例えば図６に示す目玉取付構造にあっては、縫いぐるみ１０の頭部１１の顔面表皮１２を構成する起毛布の表面側より目玉２０の固定脚部２１を嵌挿し、該固定脚部２１に設けた複数のリング状段部２２のいずれかの段に、該表皮１２の裏側に当てた固定用ワッシャ４０の係合孔縁４２と係合させることによって固定している。
【０００４】
このような構成の目玉取付構造を有する目玉２０は、これを必要個所に固定した布片を用いて縫いぐるみを縫製すると、例えば図３に示すような縫いぐるみの顔又は目の表情となる。すなわち、図３における縫いぐるみ１０の頭部１１は、一般的に顔面側の表皮１２と後頭部側の表皮１２とを外周面で縫製し、内部にスポンジ、綿等のツメ物を入れて製作されるために、該頭部１１の外形状はやや球状に丸くなる。このため、図３からも明らかなように、縫いぐるみの頭部や顔面が丸くなり、その表皮１２上に目玉２０が飛び出した様に見え、縫いぐるみの顔の表情に自然さが無いという欠点があった。
【０００５】
図７は、上記のごとき目玉取付構造による顔の表情を改善するために、目玉２０の脚部２１の端部に糸２５のための挿通孔を設け、ここを通した糸２５の端部を後頭部側の表皮１２（例えば頭部と胴部の接続部）等に縫い着けて、該糸２５を緊張させることによって目玉２０を後方に引き寄せ固定する構成とすることができる。
【０００６】
このように構成すると、図２に示すように縫いぐるみの顔面表皮１２が目玉と共に頭部側に引き寄せられ、それと共に後頭部の表皮１２も内側に引き寄せられて、縫いぐるみの顔の表情が豊かになると同時に、目玉２０自体が引き込められて、リアルな表情を醸し出すことができるものである。
【０００７】
【考案が解決しようとする課題】
ところで、上記図７に示すような固定構造を用いて縫いぐるみの目玉を固定すると、図２に示すように、糸２５によって目玉２０が顔面から引き込まれて、リアルな表情が表現できるけれども、この様な構造の目玉を固定するのは糸２５のみである。
すなわち、このような固定構造にあっては、縫いぐるみ自体を縫製後に目玉２０を取り付け、糸２５によって後頭部に固定する必要から、目玉２０の脚部２１に前もってワッシャのごとき固定手段を設けることができないばかりか、縫製後にも当然において、糸２５以外の固定手段を取り付けることができない。
【０００８】
このため、幼児等が持ち遊ぶ縫いぐるみ１０の目玉２０が、例えば糸２５が切れて脱落したような場合、幼児がその目玉を誤って飲み込む危険性がある。
この考案は、この様な従来の目玉取付構造を改善し、目玉が縫いぐるみ自体から脱落する恐れが無く、しかも目玉の取付け状態がリアルで、縫いぐるみ自体の形状及び顔の表情等が極めて自然な状態に製作できる、縫いぐるみのための目玉の取付け構造を提供するものである。
【０００９】
【課題を解決するための手段】
この考案は、目玉に固定脚が一体的に設けられており、該固定脚の脚部は複数のリング状段部を有しており、目玉取付け位置の布を表裏から挾圧固定するための固定筒及びワッシャとを有しており、縫いぐるみの縫製前に該固定筒とワッシャを目玉取付け位置に固定し、縫いぐるみ縫製後に該目玉の固定脚端に通した糸を縫いぐるみの後頭部に貫通すること、及び、該目玉の固定脚を該固定筒に挿通することによって、目玉を二重に固定することを特徴とする縫いぐるみの目玉取付構造である。
【００１０】
【考案の実施の形態】
この考案に係る縫いぐるみの目玉取付構造を、図１、図２、図４及び図５によって説明する。
図１及び図２は、この考案に係る目玉取付構造を持つ目玉をもった子猫の縫いぐるみの正面図及び側面図である。
図４は、この考案に係る目玉とその取付構造部材とを組み立てる前の状態を示しており、目玉２０自体は従来のものと同様に複数のリング状段部２２を有する脚部２１をもっている。そして、該目玉２０の脚部２１を最終的に受入れ、これをリング状の段部２２の適宜位置である係合固定する固定筒３０を有している。
【００１１】
該固定筒３０は同図から明らかなように、上記目玉２０の脚部２１と同様のリング状段部３２を複数備えた筒体部３１と、その一方端に設けられて縫いぐるみの表皮を挾圧する鍔３３とから構成されている。そして、筒体部３１の穴３４は上記目玉２０の脚部２１が嵌通できる内径であり、該筒体部３１の先端部の穴３４は、上記目玉の脚部２１に設けられた複数のリング状段部２２のいずれかが係合して固定可能な内径緊縮部３５を有している。
【００１２】
図中の符号４０は、図６に示す従来形取付構造と同様のワッシャであるが、この考案におけるワッシャ４０は上記固定筒３０における筒体部３１を固定するためのものであり、従って、該ワッシャ４０の孔４１はテーパ状に形成されており、その係合部分である緊縮部４２は、該固定筒３０における筒体部３１の複数の段部３２のいずれかと係合固定可能な内径である。
また、図中の糸２５及び長い針２８は、後述する様に目玉２０を該糸２５によって縫いぐるみの後頭部へ引き込み固定するためのものである。
【００１３】
図５から明らかなように、縫いぐるみの顔面を構成する布切れ部分である表皮１２には、その表側から固定筒３０が、同じく裏側からワッシャ４０が予め当接され、これらが係合することによって目玉２０の取付け位置が形成される。そして、該固定筒３０内に嵌挿された目玉２０の脚部２１が挿通固定されると共に、後述するように糸２５によっても同時に固定されるものである。
【００１４】
次に、本考案に係る目玉取付構造を有する目玉を用いて、縫いぐるみに取付ける手順を説明する。
図４、図５から明らかなように、縫いぐるみの顔面を構成する布片である表皮１２の目玉取付け位置には、図４に示す固定筒３０及びワッシャ４０を該布片である表皮１２の表裏両面から挟み付けるように当接する。この場合、目玉の固定位置には予め取付け穴が設けられている。そして、該固定筒３０の筒体部３１をワッシャ４０のテーパ孔４１に挿通して、鍔３３とワッシャ４０とによって表皮１２を十分に圧縮した状態で、筒体部３１のリング状段部３２とワッシャ４０の孔４１の緊縮部４２とを係合させて固定する。
このようにして、目玉固定部が装着された顔面部用布片とその他の表皮を構成する布片とを、従来通常の縫いぐるみ縫製手順に従って縫製し、縫いぐるみ１０自体を製作する。
【００１５】
続いて、図４に示す状態の目玉２０を、その長い針２８に糸を通した状態で、図５に示す上述の固定された固定筒３０における穴３４から、縫製された縫いぐるみ１０の頭部１１内を貫通して、図２に示す後頭部の表皮１２まで貫く。そして、目玉２０の脚部２１を上記固定筒３０の穴３４内に嵌挿することによって、その脚部２１のリング状段部２２と該固定筒３０の内径緊縮部３５に係合させて固定する。その後、縫いぐるみ１０の頭部１１を貫通した長い針２８の糸２５を頭部後方に引っ張って、目玉２０を適宜の状態まで引き寄せ、該糸２５を後頭部表皮１２に固定するものである。
【００１６】
【考案の効果】
このようにすることによって図１、図２に示すように、この考案に係る目玉取付構造によれば、目玉２０を糸２５によって後頭部に引き寄せて固定しているので、目玉と顔面との位置関係が自然な状態に調節固定できると共に、その脱落を防止できる。
また、この目玉取付構造によるときは、目玉固定脚部２１が固定筒３０に係止されているので、仮に糸２５が切断した場合にも、目玉２０が脱落することがない。
そして、この目玉取付構造によれば、予め固定筒３０及びワッシャ４０により固定手段を縫いぐるみ構成布片に固定しているので、その後通常の長い針２８と糸２５によって、自由に目玉の引き込み位置を調節しながら固定でき、取り付け手順が簡単で、美しく自然な縫いぐるみの目玉を固定することができた。
【図面の簡単な説明】
【図１】この考案の目玉を取り付けた縫いぐるみの正面図である。
【図２】図１の縫いぐるみの側面図である。
【図３】従来例に係る目玉を取り付けた縫いぐるみの側面図である。
【図４】この考案に係る目玉取付構造の展開図である。
【図５】この考案に係る目玉取付構造の説明図である。
【図６】従来例に係る目玉取付構造の説明図である。
【図７】従来例に係る目玉取付構造の説明図である。
【符号の説明】
１０　縫いぐるみ
１１　頭部
１２　表皮
２０　目玉
２１　固定脚部
２２，３２　リング状段部
２５　糸
２８　針
３０　固定筒
３１　筒体部
３３　鍔
３４　穴
３５　内径緊縮部
４０　ワッシャ
４１　テーパ孔
４２　係合孔縁
【図１】
0003098350.tif 000003
【図２】
0003098350.tif 000004
【図３】
0003098350.tif 000005
【図４】
0003098350.tif 000006
【図５】
0003098350.tif 000007
【図６】
0003098350.tif 000008
【図７】
0003098350.tif 000009